(57)【要約】      （修正有）【課題】大量輸送が可能であると共に、現場での組立作業に時間をかけることなくスムーズに行うことができる蛇篭結束体を提供する。【解決手段】底面網の前側辺２ａ及び後側辺２ｂに前側面網及び後側面網の下辺をそれぞれ起倒自在に連結すると共に、底面網の左側辺２ｃ及び右側辺２ｄに左側面網及び右側面網の下辺をそれぞれ起倒自在に連結した状態で、底面網の上に前側面網及び後側面網と左側面網及び右側面網とを折り重ね、さらに上面網７を重ねて載置することにより重畳体１３を形成し、該重畳体１３の少なくとも一部を結束線１１で結束した。【選択図】図１
0003176793.tif 000002
【実用新案登録請求の範囲】
【請求項１】
矩形の底面網と、相対する矩形の前側面網及び後側面網と、相対する矩形の左側面網及び右側面網と、矩形の上面網とからなる菱形金網製の角形蛇篭を、半製品の状態まで組み立てて折り畳み、結束線で結束した蛇篭結束体であって、
該蛇篭結束体は、上記底面網の前側辺及び後側辺に上記前側面網及び後側面網の下辺をそれぞれ起倒自在に連結すると共に、上記底面網の左側辺及び右側辺に上記左側面網及び右側面網の下辺をそれぞれ起倒自在に連結した状態で、上記底面網の上に上記前側面網及び後側面網と上記左側面網及び右側面網とを折り重ね、さらに上記上面網を重ねて載置することにより重畳体を形成し、該重畳体の少なくとも一部を結束線で結束したことを特徴とする蛇篭結束体。
【請求項２】
上記底面網の外周に取り付けた枠線と、上記上面網の外周に取り付けた枠線とを、複数位置で上記結束線により結束したことを特徴とする請求項１に記載の蛇篭結束体。
【請求項３】
上記結束線で結束する位置が、上記底面網及び上面網の前側辺及び後側辺の中央位置及び／又は上記底面網の左側辺及び右側辺の中央位置であることを特徴とする請求項２に記載の蛇篭結束体。
【請求項４】
蛇篭の組み立て時に前後及び左右の側面網と上面網との隣接する側辺同士を相互に連結する複数の連結金具を、同軸状に揃えた状態で上記上面網の上または下に配置し、上記重畳体の菱形金網の列線に結着線により結着したことを特徴とする請求項１〜３に記載の蛇篭結束体。
【考案の詳細な説明】
【技術分野】
【０００１】
本考案は、護岸工事や宅地造成工事、斜面の保護工事等に使用される蛇篭を輸送する為に折り畳んで結束した蛇篭結束体に関するものである。
【背景技術】
【０００２】
例えば、護岸工事や宅地造成工事、斜面の保護工事等には、一般にふとん篭や石詰篭と呼ばれる菱形金網製の角形蛇篭が使用される。このような蛇篭は、特許文献１に開示されているように、容器形の篭本体と該篭本体の上面を塞ぐ上面網とにより形成されていて、この蛇篭を現場に輸送し、上面網を開放した状態で篭本体の内部に土石を充填した後、上面網を閉じることによって設置される。
【０００３】
上記蛇篭を現場に輸送する場合、通常は、現場での組み立て作業を省略するため、工場などで予め上記篭本体を容器形に組み立てた状態で輸送するようにしている。
ところが、組み立てた蛇篭は嵩張る為、梱包が面倒で、一度に輸送することができる蛇篭の数も制限され、大量輸送することが出来ない。
一方、上記蛇篭を、篭本体を形成する底面網と前側面網及び後側面網と左側面網及び右側面網とを全て分離し、上面網と共に積み重ねて梱包し、現場に輸送すれば、嵩張りが少なくなるため輸送が容易で一度に大量輸送することもできるが、施工現場で梱包を解き全ての部品を最初から組み立てなければならないため、組立作業が非常に面倒で時間を要し、作業効率が悪い。
【先行技術文献】
【特許文献】
【０００４】
【特許文献１】特開２００７−０７１００７号公報
【考案の概要】
【考案が解決しようとする課題】
【０００５】
本考案の技術的課題は、蛇篭を半製品の形で折り畳んで結束することにより、大量輸送を可能にすると共に、施工現場での組立作業を簡略化することにある。
【課題を解決するための手段】
【０００６】
上記課題を解決するため、本考案によれば、矩形の底面網と、相対する矩形の前側面網及び後側面網と、相対する矩形の左側面網及び右側面網と、矩形の上面網とからなる菱形金網製の角形蛇篭を、半製品の状態まで組み立てて折り畳み、結束線で結束した蛇篭結束体であって、該蛇篭結束体は、上記底面網の前側辺及び後側辺に上記前側面網及び後側面網の下辺をそれぞれ起倒自在に連結すると共に、上記底面網の左側辺及び右側辺に上記左側面網及び右側面網の下辺をそれぞれ起倒自在に連結した状態で、上記底面網の上に上記前側面網及び後側面網と上記左側面網及び右側面網とを折り重ね、さらに上記上面網を重ねて載置することにより重畳体を形成し、該重畳体の少なくとも一部を結束線で結束したことを特徴とする蛇篭結束体が提供される。
【０００７】
本考案に係る蛇篭結束体においては、上記底面網の外周に取り付けた枠線と、上記上面網の外周に取り付けた枠線とを、複数位置で上記結束線により結束したことが望ましい。この場合、上記結束線で結束する位置が、上記底面網の前側辺及び後側辺の中央位置及び／又は上記底面網の左側辺及び右側辺の中央位置であることが、より望ましい。
【０００８】
また、本考案においては、蛇篭の組み立て時に前後及び左右の側面網と上面網との隣接する側辺同士を相互に連結する複数の連結金具を、同軸状に揃えた状態で上記上面網と側面網との間に配置し、該連結金具の位置で、上記重畳体の菱形金網の列線に、結着線により結着したことでもよい。
【考案の効果】
【０００９】
以上に詳述した本考案の蛇篭結束体によれば、大量輸送が可能であると共に、底面網に対して前後の面網及び左右の面網とを起倒自在に連結した半製品状態で現場に輸送されるので、現場での組立作業に時間をかけることなくスムーズに行われる。
また、蛇篭を折り畳んで一部を結束しただけであるため、覆いを外周に掛けて梱包する場合に比べ、結束作業が簡単であると共に、現場で結束を解く作業も簡単であり、結束用線材も少なくて済む。
【図面の簡単な説明】
【００１０】
【図１】本考案に係る蛇篭結束体の一実施例を示す斜視図である。
【図２】図１の蛇篭結束体を分解して示す斜視図である。
【図３】図２の蛇篭結束体の篭本体を展開して示す平面図である。
【図４】図１の蛇篭結束体の結束を解いて蛇篭を組み立てた状態を示す斜視図である。
【考案を実施するための形態】
【００１１】
以下、本考案の実施例を図面に基づいて説明する。
図１〜図３は本考案に係る蛇篭結束体の一実施例を示すものである。この蛇篭結束体１は、図４に示すような菱形金網製の角形蛇篭２０、すなわち篭本体９と上面網７とからなる蛇篭を、工場において上記篭本体９を図３に示すように半製品の状態にまで組み立てたあと、該篭本体９を図２に示すように折り畳み、折り畳んだ該篭本体９の上に上面網７とを積み重ね、該上面網７の下に隣接する面網同士を相互に連結する複数の連結金具１０を配置して、図１に示すように結束線１１で結束すると共に、上記連結金具１０を菱形金網の列線８に結着線１４で結着したものである。
【００１２】
上記蛇篭結束体１の構成を具体的に説明する前に、図４に示す上記蛇篭２０の構成について説明する。該蛇篭２０は、四角い箱形をした上記篭本体９と、該篭本体９の上面を覆う矩形の上記上面網７と、上記連結金具１０とで構成されている。また、上記篭本体９は、矩形の底面網２と、相対する矩形の前側面網３及び後側面網４と、相対する矩形の左側面網５及び右側面網６とで形成されている。
【００１３】
上記篭本体９における底面網２と前後及び左右の側面網３〜６とは、扁平な螺旋形状に折り曲げた複数の列線８の折曲部８ａ同士を順次連繋した菱形金網により形成され、各面網の外周の４辺に針金から成る枠線が取り付けられている。そして、上記底面網２の前側辺２ａ及び後側辺２ｂに、上記前側面網３の下辺３ｂ及び後側面網４の下辺４ｂが連結されると共に、上記底面網２の左側辺２ｃ及び右側辺２ｄに、上記左側面網５の下辺５ｂ及び右側面網６の下辺６ｂが、上記連結金具１０を枠線に巻き付けることによりそれぞれ連結され、さらに、上記前後及び左右の側面網３〜６の隣接する側辺同士が、上記連結金具１０を枠線に巻き付けることにより相互に連結され、それによって上記篭本体９が組み立てられている。なお、本実施例では、上記篭本体９に、前側面網３の上辺３ａと後側面網４の上辺４ａとの間に、針金からなる補強用の張線１２が上記両上辺３ａ，４ａの中央部を横断するように張設されている。しかし、このような補強用の張線１２は、必ずしも必要なものではない。
【００１４】
また、上記上面網７の外周の４辺７ａ〜７ｄにも針金から成る枠線が取り付けられていて、該上面網７の枠線と上記各側面網３〜６の上辺３ａ〜６ａの枠線とに上記連結金具１０を巻き付けることにより、該上面網７を上記篭本体９の上面に取り付けることができるようになっている。
【００１５】
図示した実施例では、図３に示すように、上記底面網２と前後の側面網３，４との列線８の配線方向を同じ方向に揃えることにより、該底面網２と前後の側面網３，４とが１枚の金網素材で一連に形成され、左右の側面網５，６だけが上記底面網２と別体に形成されている。上記底面網２と前後の側面網３，４との境目には、共通の枠線が挿通されている。しかし、上記前後の側面網３，４も底面網２と別体に形成し、上記連結金具１０で該底面網２に連結することもできる。
上記連結金具１０として、針金を螺旋状に曲げて形成したスクリューストッパが用いられている。
【００１６】
次に、図１〜図３により上記蛇篭結束体１について説明する。該蛇篭結束体１は、図２に分解して示すように、折り畳まれた上記篭本体９と、該篭本体９から分離された上記上面網７と、複数の連結金具１０と、結束用の上記結束線１１と、連結金具１０を金網に結着する上記結着線１４とで構成されている。
【００１７】
上記篭本体９は、図３に展開して示すように、上記底面網２の前側辺２ａ及び後側辺２ｂに上記前側面網３及び後側面網４の下辺３ｂ，４ｂを起倒自在に連結すると共に、上記底面網２の左側辺２ｃ及び右側辺２ｄに上記左側面網５及び右側面網６の下辺５ｂ，６ｂをそれぞれ起倒自在に連結することにより、半製品の状態まで組み立てられている。
【００１８】
そして、上記篭本体９を、上記前側面網３及び後側面網４を倒伏させて折り重ねると共に、上記左側面網５及び右側面網６を倒伏させて折り重ねることにより、図２のように折り畳み、その上に連結金具１０を配置して、さらに上記上面網７を重ねて載置し、それによって形成される重畳体１３を上記結束線１１で結束すると共に、上記連結金具１０を菱形金網の列線８に結着することにより、図１に示す蛇篭結束体１が形成されている。
【００１９】
上記重畳体１３の結束については、底面網２の外周に取り付けた枠線と、上記上面網７の外周に取り付けた枠線とを、複数位置で上記結束線１１により結束することで行われており、具体的には、上記底面網２及び上面網７の左側辺２ｃ，７ｃ及び右側辺２ｄ，７ｄの中央位置で結束されている。
【００２０】
上記連結金具１０は、複数の連結金具１０の軸線を同軸状に揃えた状態で上面網７と側面網３〜６の間に載置されており、これを上記重畳体１３の菱形金網の列線８に結着線１４で結着している。連結金具１０は、上記上面網７と側面網３〜６との間に配した上記張線１２と一緒に、共通の結着線１４で金網の列線８に複数位置で結着されている。
連結金具１０を結着線１４で結着するに際し、重畳体１３を形成する上面網７、各側面網３〜６、底面網２のうち、何れか一の面網の列線８に結着しても、或いは、重畳する複数の面網の列線８に結着してもよい。
【００２１】
上記結束線１１及び結着線１４は、針金のような剛性を有する金属製の線材であっても、天然又は合成繊維製線材等の柔軟性に富んだ線材であっても良いが、金属製の線材を使用する場合は、菱形金網を形成する上記列線８より十分に小径で柔軟性があり、手だけで簡単に小さく折り曲げられるようなものを使用するのが望ましい。これら結束線１１及び結着線１４は、同一素材で同一長さを有する線材を用いることでもよい。
【００２２】
上記構成を有する蛇篭結束体１は、トラックの荷台に積むなどして施工現場や石詰現場など目的の場所に輸送される。このとき、上記蛇篭結束体１は、蛇篭を折り畳んだ状態で結束しているため、篭本体９を容器形に組み立てた状態（完成品の状態）の蛇篭に比べて扁平で嵩張りが少なく、したがって、完成品の蛇篭を輸送する場合に比べて一度に大量の蛇篭を輸送することができる。
【００２３】
目的の場所に輸送された上記蛇篭結束体１は、重畳体１３を結束する結束線１１と、連結金具１０を重畳体１３の金網に結着する結着線１４とを取り外したあと、篭本体９を容器形に組み立てる。その組み立ては、折り畳み状態にある前後及び左右の各側面網３〜６を起立させ、隣接する側面網の隣接する側辺の枠線に上記連結金具１０を巻着することにより行われる。このとき、上記篭本体９は、予め底面網２の前後及び左右の側辺２ａ〜２ｄに前後及び左右の側面網３〜６の下辺３ｂ〜６ｂを連結することによって半製品の状態にまで組み立てられているため、完全に分離した状態の底面網２と各側面網３〜６とを最初から組み立てる場合に比べ、組立作業は大幅に簡略化される。
【００２４】
蛇篭が図４に示すように組み立てられたあと、篭本体９の内部に栗石が充填され、該篭本体９の上面に上記上面網７が載置され、該上面網７の４辺７ａ〜７ｄの枠線と上記各側面網３〜６の上辺３ａ〜６ａの枠線とに上記連結金具１０を巻き付けることにより、該上面網７が上記篭本体９の上面に連結される。
【００２５】
上記結束線１１及び結着線１４は、上記蛇篭結束体１から取り外されたあと、集められて廃棄処分されるが、結束線１１及び結着線１４を小さく折り曲げて篭本体９の内部に入れ、上記栗石の下あるいは間に敷き込んでも良く、こうすることにより、大量の蛇篭２０を施工する場合に、重畳体１３の結束に要した結束線１１と、連結金具１０の結着に要した結着線１４とを回収して廃棄する手間が省ける。
【００２６】
上記連結金具１０は、その軸方向長さが、側面網３〜６及び上面網７の連結する側辺の長さと略等しく形成されているが、上記側辺の長さより短いものを使用し、各側辺に複数個取り付けるようにしても良い。
【００２７】
また、結束線１１で結束する位置は、上記底面網２及び上面網７の前側辺２ａ，７ａ及び後側辺２ｂ，７ｂの中央位置で結束しても、底面網２及び上面網７の４辺の中央位置で、それぞれ結束してもよく、或いは、重畳体１３の少なくとも一部を結束していれば、これら以外の位置で結束してもよい。
【００２８】
なお、本実施例では、上記連結金具１０を上記上面網７の下に配設したが、該連結金具１０を上面網７の上に配設することも可能であり、この場合、連結金具１０は、上面網７上で、上記重畳体１３の適宜の菱形金網の列線８に結着線１４で結着される。
【符号の説明】
【００２９】
１      蛇篭結束体
２      底面網
２ａ    前側辺
２ｂ    後側辺
２ｃ    左側辺
２ｄ    右側辺
３      前側面網
３ｂ    下辺
４      後側面網
４ｂ    下辺
５      左側面網
５ｂ    下辺
６      右側面網
６ｂ    下辺
７      上面網
７ａ    前側辺
７ｂ    後側辺
７ｃ    左側辺
７ｄ    右側辺
１０    連結金具
１１    結束線
１３    重畳体
１４    結着線
２０    蛇篭
【図１】
0003176793.tif 000003
【図２】
0003176793.tif 000004
【図３】
0003176793.tif 000005
【図４】
0003176793.tif 000006